(57)【要約】  本発明は、所望の消炎性能を確保と、圧力損失の低減（流量の確保）との両立を図ることを目的とした減速機構、及び減速機構付きフレームアレスタを提供することを目的とする。  減速機構（４）は、可燃性の流体が流れる配管（２）に設けられて当該配管（２）内を伝播する火炎を消炎するためのフレームアレスタ（３）の配管（２）の軸方向の少なくとも一方側に設けられて、この配管（２）内を伝播する火炎を減速させるためものであり、配管（２）の軸方向に連通するように筒状に構成され、その内面４０が、軸に非平行な非平行面（５Ｂ）、（５Ｃ）、（４２Ｃ）を複数有し、複数の非平行面が、軸方向に並んで設けられている。
2018078814.tif 000002
【特許請求の範囲】
【請求項１】
可燃性の流体が流れる配管に設けられて当該配管内を伝播する火炎を消炎するためのフレームアレスタの前記配管の軸方向の少なくとも一方側に設けられて、この配管内を伝播する火炎を減速させるための減速機構であって、
前記配管の軸方向に連通するように筒状に構成され、
その内面が、軸に非平行な非平行面を複数有し、
複数の前記非平行面が、前記軸方向に並んで設けられていることを特徴とする減速機構。
【請求項２】
複数の前記非平行面は、それぞれ、当該非平行面と前記軸との成す角が略等しいことを特徴とする請求項１に記載の減速機構。
【請求項３】
前記非平行面と前記軸との成す角が、略９０度であることを特徴とする請求項２に記載の減速機構。
【請求項４】
前記非平行面が、中心軸から離れた外縁と、前記中心軸に近い内縁と、を有し、
前記外縁から前記軸に平行に延在する第１内面と、
前記内縁から軸に平行に延在する第２内面と、が設けられていることを特徴とする請求項１〜請求項３のうち何れか一項に記載の減速機構。
【請求項５】
前記第２内面が、前記中心軸を軸とする円筒の面を構成することを特徴とする請求項４に記載の減速機構。
【請求項６】
前記非平行面が、中心軸から離れた外縁を有し、
前記外縁から前記軸に平行に延在する第１内面を備え、
前記第１内面より前記軸方向の一方側又は他方側には、前記外縁より前記中心軸側に、前記可燃性の流体を通過させる複数の貫通孔が形成されていることを特徴とする請求項１〜請求項３のうち何れか一項に記載の減速機構。
【請求項７】
前記配管の軸方向に連通する複数の部材を有して構成され、
前記複数の部材が、それぞれ、前記非平行面を少なくとも２つ有していることを特徴とする請求項１〜請求項６のうち何れか一項に記載の減速機構。
【請求項８】
相互に偏心して設けられた複数の空間形成部を有し、
隣接する前記空間形成部が連通するとともにその境界には、前記非平行面が設けられていることを特徴とする請求項１〜請求項３のうち何れか一項に記載の減速機構。
【請求項９】
請求項１〜請求項８のうち何れか一項に記載の減速機構と、
前記配管内を伝播する火炎を消炎するための前記フレームアレスタと、を備えたことを特徴とする減速機構付きフレームアレスタ。
【請求項１０】
前記減速機構が、前記フレームアレスタの前記配管の軸方向の両側に設けられていることを特徴とする請求項９に記載の減速機構付きフレームアレスタ。
【発明の詳細な説明】
【技術分野】
【０００１】
本発明は、減速機構、及び減速機構付きフレームアレスタに関する。
【背景技術】
【０００２】
可燃性ガスを輸送する配管、可燃性液体を貯蔵するタンク等においては、何らかの原因により発火が生じると、配管内あるいはタンク内に火炎が伝播し、爆発や爆轟が生じる大事故を引き起こす可能性がある。【０００３】
この危険性を防ぐ手段として、例えば、配管内を伝播する火炎を途中で消炎させるためのフレームアレスタがある。その原理は火炎を細分化して熱を奪い消滅させることにある。このため、一般的なフレームアレスタは、所定の軸寸法を有して構成されているとともに、波形を有する板金が渦巻き状に巻かれて構成されている。【０００４】
このようなフレームアレスタは、平常時においては可燃性ガスを通過させるが、火炎が発生した場合には、消炎性能を発揮することが要求される。従ってその設計には、消炎性能と圧力損失の二つを考慮する必要がある。
【先行技術文献】
【特許文献】
【０００５】
【特許文献１】特開２００３−２０７１０８公報
【発明の概要】
【発明が解決しようとする課題】
【０００６】
しかしながら、所望の消炎性能を確保するためには、火炎を消滅させるための距離が必要であり、フレームアレスタの軸寸法を増加させることが考えられる。即ち、フレームアレスタが配管の軸方向に大型化するため、圧力損失が増加してしまう。圧力損失を減少させるために、フレームアレスタを配管の軸方向に小型化させることが考えられるが、そうすると所望の消炎性能を確保することができない。即ち、所望の消炎性能を確保しつつ、圧力損失の低減（流量の確保）を図るのは困難だった。【０００７】
本発明の目的は、所望の消炎性能の確保と、圧力損失の低減（流量の確保）との両立を図ることを目的とした減速機構、及び減速機構付きフレームアレスタを提供することにある。
【課題を解決するための手段】
【０００８】
本発明の減速機構は、可燃性の流体が流れる配管に設けられて当該配管内を伝播する火炎を消炎するためのフレームアレスタの前記配管の軸方向の少なくとも一方側に設けられて、この配管内を伝播する火炎を減速させるための減速機構であって、前記配管の軸方向に連通するように筒状に構成され、その内面が、軸に非平行な非平行面を複数有し、複数の前記非平行面が、前記軸方向に並んで設けられていることを特徴とする。【０００９】
以上のような本発明によれば、その内面が、軸に非平行な非平行面を複数有し、複数の非平行面が、軸方向に並んで設けられている。ここで、配管内に火炎が発生した場合、火炎は流体の流れ方向に順流又は、逆流するが、非平行面が設けられていることで、非平行面の面延在方向に沿って、中心軸から離れる方向に回り込む。非平行面が、軸方向に並んで設けられているから、火炎が、中心軸から離れる方向に回りこむ現象が繰り返される。このようにして、配管を伝播する火炎は、回り込む現象が繰り返されることにより、減速される。【００１０】
また、配管内を伝播する火炎を減速させる減速機構を、フレームアレスタにおいて可燃性の流体の流れ方向の下流側（軸方向の一方側）、若しくは、フレームアレスタにおいて可燃性の流体の流れ方向の上流側（軸方向の他方側）、又は、フレームアレスタにおいて可燃性の流体の流れ方向の両側（軸方向の両側）に設けてもよい。例えば、フレームアレスタよりも、可燃性の流体の流れ方向の上流側で火炎が発生する可能性がある場合には、減速機構を、フレームアレスタよりも、可燃性の流体の流れ方向の上流側に設けることが好ましいが流れ方向の下流側に設けてもよい。また、フレームアレスタよりも、可燃性の流体の流れ方向の下流側で火炎が発生する可能性がある場合には、減速機構を、フレームアレスタよりも、可燃性の流体の流れ方向の下流側に設けることが好ましいが流れ方向の上流側に設けてもよい。また、フレームアレスタにおいて、可燃性の流体の流れ方向の両側で火炎が発生する可能性がある場合には、一対の減速機構を、フレームアレスタの可燃性の流体の流れ方向の両側に設けることが好ましいが、減速機構を上流側又は下流側の何れか一方に設けてもよい。【００１１】
このような減速機構を、フレームアレスタの可燃性の流体の流れ方向の少なくとも一方側に設けた場合には、フレームアレスタに到達する火炎は、減速される。このため、フレームアレスタを配管の軸方向に小型化した場合においても、圧力損失の低減と流量確保を図りつつ、所望の消炎性能を確保することができる。さらに、このような減速機構を、フレームアレスタの可燃性の流体の流れ方向の少なくとも一方側に設けることにより、火炎は減速されフレームアレスタをより圧力損失が少ない構造とできるため、径方向に小型化することができ、この場合においても、圧力損失の低減（流量の確保）を図りつつ、所望の消炎性能を確保することができる。従って、減速機構を、フレームアレスタにおいて可燃性の流体の流れ方向の少なくとも一方側に設けることで、所望の消炎性能の確保と、圧力損失の低減（流量の確保）との両立を図ることができる。【００１２】
また、本発明の減速機構では、複数の前記非平行面は、それぞれ、当該非平行面と前記軸との成す角が略等しいことが好ましい。このような構成によれば、配管を伝播する火炎は、回り込む現象が繰り返されることにより、減速される。【００１３】
また、本発明の減速機構では、前記非平行面と前記軸との成す角が、略９０度であることが好ましい。このような構成によれば、非平行面を構成面とする空間の体積を十分な大きさにすることができるから、配管内を伝播する火炎が、十分に減速される。【００１４】
また、本発明の減速機構では、前記非平行面が、中心軸から離れた外縁と、前記中心軸に近い内縁と、を有し、前記外縁から前記軸に平行に延在する第１内面と、前記内縁から軸に平行に延在する第２内面と、が設けられていることが好ましい。このような構成によれば、非平行面及び第１内面を構成面とする体積が大きい空間と、第２内面を構成面とする体積が小さい空間とが、軸方向に交互に連続して形成される。配管内を伝播する火炎は、大小の空間を繰り返し通過する。これにより、配管内を伝播する火炎が、十分に減速される。【００１５】
また、本発明の減速機構では、前記第２内面が、前記中心軸を軸とする円筒の面を構成することが好ましい。このような構成によれば、例えば、目詰まりする懸念なく、メンテナンス性の向上を図ることができる。【００１６】
また、本発明の減速機構は、前記非平行面が、中心軸から離れた外縁を有し、前記外縁から前記軸に平行に延在する第１内面を備え、前記第１内面より前記軸方向の一方側又は他方側には、前記外縁より前記中心軸側に、前記可燃性の流体を通過させる複数の貫通孔が形成されていることが好ましい。このような構成によれば、複数の貫通孔が形成されていることで、軸に直交する面において、複数の貫通孔が形成された面と、第１内面が形成する面との面積の差を大きくできるから、配管内を伝播する火炎は、当該面に位置する開口を入口とする大小の空間を繰り返し通過する。これにより、配管内を伝播する火炎を効率よく減速させることができる。【００１７】
また、本発明の減速機構は、前記配管の軸方向に連通する複数の部材を有して構成され、  前記複数の部材が、それぞれ、前記非平行面を少なくとも２つ有していることが好ましい。このような構成によれば、求められる性能に応じて、部材の個数を変更することができる。従って、汎用性が高いものとすることができる。【００１８】
また、本発明の減速機構は、相互に偏心して設けられた複数の空間形成部を有し、隣接する前記空間形成部が連通するとともに、その境界には、前記非平行面が設けられていることが好ましい。このような構成によれば、配管を伝播する火炎が減速される。【００１９】
一方、本発明の減速機構付きフレームアレスタは、前記減速機構と、前記配管内を伝播する火炎を消炎するためのフレームアレスタと、を備えたことを特徴とする。【００２０】
以上のような本発明によれば、配管内を伝播する火炎を減速させる減速機構を設けることで、配管内を伝播する火炎は減速される。このため、フレームアレスタを配管の軸方向に小型化した場合においても、圧力損失の低減を図りつつ、所望の消炎性能を確保することができる。従って、減速機構を、フレームアレスタにおいて可燃性の流体の流れ方向の少なくとも側に設けることで、所望の消炎性能の確保と、圧力損失の低減（流量の確保）との両立を図ることができる。【００２１】
また、本発明の減速機構付きフレームアレスタは、前記減速機構が、前記フレームアレスタの可燃性の流体が流れる方向の両側に設けられていることが好ましい。このような構成によれば、所望の消炎性能の確保と、圧力損失の低減（流量の確保）との両立を十分に図ることができる。
【発明の効果】
【００２２】
本発明の減速機構及び、減速機構付きフレームアレスタによれば、所望の消炎性能の確保と、圧力損失の低減（流量の確保）との両立を図ることができる。
【図面の簡単な説明】
【００２３】
【図１】本発明の第１実施形態に係る減速機構付きフレームアレスタを示す断面図である。
【図２】本発明の第１実施形態に係る減速機構を示す図であり、（Ａ）は減速機構の断面図であり、（Ｂ）は（Ａ）の平面図である。
【図３】図１に示された減速機構付きフレームアレスタの変形例を示す断面図である。
【図４】図２に示された減速機構の変形例を示す図であり、（Ａ）は減速機構の断面図であり、（Ｂ）は（Ａ）の平面図である。
【図５】図２に示された減速機構の他の変形例を示す図であり、（Ａ）は減速機構の断面図であり、（Ｂ）は（Ａ）の平面図である。
【図６】本発明の第２実施形態に係る減速機構を示す断面図である。
【図７】本発明の第２実施形態に係る減速機構の変形例を示す断面図である。
【図８】本発明の第２実施形態に係る減速機構の他の変形例を示す断面図である。
【図９】本発明の第２実施形態に係る減速機構のさらに他の変形例を示す断面図である。
【図１０】本発明の第３実施形態に係る減速機構を示す図であり、（Ａ）は、減速機構を示す断面図であり、（Ｂ）は、（Ａ）の平面図である。
【図１１】図１０に示された減速機構の変形例を示す図であり、（Ａ）は、減速機構を示す断面図であり、（Ｂ）は、（Ａ）の平面図である。
【図１２】図１０に示された減速機構の他の変形例を示す図であり、（Ａ）は、減速機構を示す断面図であり、（Ｂ）は、（Ａ）の平面図である。
【発明を実施するための形態】
【００２４】
（第１実施形態）
以下、本発明の第１実施形態に係る減速機構付きフレームアレスタを、図１、図２を参照して説明する。本実施形態の減速機構付きフレームアレスタ１は、図１に示すように、可燃性ガス（可燃性の流体）が流れる配管２と、この配管２に連通するフレームアレスタ３と、フレームアレスタ３に連通して設けられた減速機構４と、配管２、フレームアレスタ３、及び減速機構４の間に介在するリング状のガスケット６と、を有して構成されている。フレームアレスタ３は、何らかの原因により配管２内で発火が生じた際に、配管２内を可燃性ガスの流れに逆流して火炎伝播方向に伝播する火炎を消炎するための機構であり、減速機構４は、配管２内を伝播する火炎を減速させるための機構である。図１は、本発明の第１実施形態に係る減速機構付きフレームアレスタ１を示す断面図である。図１において、配管２、フレームアレスタ３の断面を示すハッチングは省略する。
【００２５】
配管２は、一対のボディ２０、２１と、一対のボディ２０、２１を固定する固定部材７と、を有して構成されている。一対のボディ２０、２１は、軸方向に離間して設けられ、互いの間にフレームアレスタ３及び減速機構４を支持した状態で、固定部材７により固定されている。一対のボディ２０、２１のうち、流体の流れ方向の上流側に位置する一方を「上流側ボディ２０」と記し、下流側に位置する他方を「下流側ボディ２１」と記す。
【００２６】
上流側ボディ２０は、筒状の上流側ボディ本体２２と、上流側ボディ本体２２の流れ方向の下流側に位置する上流側フランジ２３と、を一体に有して構成されている。上流側ボディ本体２２は、外部と内部とが当該上流側ボディ本体２２の軸方向の両側に連通するように構成されているとともに、内径が、流れ方向の上流から下流に向かうにしたがって大きくなるように形成されている。
【００２７】
上流側フランジ２３には、固定部材７を構成するボルト７１を挿入するための一対の上流側ボルト孔２４が形成されている。一対の上流側ボルト孔２４は、上流側フランジ２３の径方向（軸に直交方向）に離間して設けられている。また、各上流側ボルト孔２４と、下流側ボディ２１の後述する下流側ボルト孔２５とは、軸方向に離間する位置にあり、これらの上流側ボルト孔２４及び下流側ボルト孔２５に、固定部材７のボルト７１が挿入される。上流側フランジ２３は、流れ方向の下流側に、上流側ボディ２０の軸に直交する直交面２３Ａを有している。この直交面２３Ａに、フレームアレスタ３の消炎素子フレーム３１が、ガスケット６を介して当接されている。
【００２８】
下流側ボディ２１は、筒状の下流側ボディ本体２６と、下流側ボディ本体２６の流れ方向の上流側に位置する下流側フランジ２７と、を一体に有して構成されている。下流側ボディ本体２６は、外部と内部とが当該下流側ボディ本体２６の軸方向の両側に連通するように構成されているとともに、流れ方向の上流側の端部から下流側の端部まで、内径寸法φ４が略一定となるように形成されている。下流側フランジ２７には、固定部材７を構成するボルト７１を挿入するための一対の下流側ボルト孔２５、２５が形成されている。一対の下流側ボルト孔２５、２５は、下流側フランジ２７の径方向（軸に直交方向）に離間して設けられている。また、下流側フランジ２７は、流れ方向の上流側に、下流側ボディ２１の軸に直交する直交面２７Ａを有している。この直交面２７Ａに、減速機構４の減速機構フレーム４１が、ガスケット６を介して当接されている。
【００２９】
固定部材７は、一対のボルト７１と、各ボルト７１の両端部に螺合される各一対のナット７２、７２と、を有して構成されている。ボルト７１は、減速機構付きフレームアレスタ１の組立状態において、上流側ボルト孔２４及び下流側ボルト孔２５に挿入され、両端部に各ナット７２が螺合されている。こうして、ボルト７１、及び一対のナット７２、７２により、
上流側ボディ２０、フレームアレスタ３、減速機構４、及び下流側ボディ２１は、流れ方向の上流側から、上流側ボディ２０、フレームアレスタ３、減速機構４、及び下流側ボディ２１の順で、互いに同軸に固定されている。
【００３０】
フレームアレスタ３は、火炎を細分化して熱を奪い消炎するためのものであり、通気性のある消炎素子を有して構成されている。本実施形態では、フレームアレスタ３として、クリンプリボン（波板）構造の消炎素子３０が用いられている。なお、本実施形態では、クリンプリボン（波板）構造の消炎素子３０が用いられているが、本発明はこれに限定されるものではない。フレームアレスタとして、火炎を細分化して熱を奪い消炎するための消炎素子を有して構成されていれば、如何なる形状や構造を有していてもよい。
【００３１】
フレームアレスタ３は、複数（図示例では２個）の消炎素子３０、３０と、２個の消炎素子３０、３０を収容するための筒状の消炎素子フレーム３１と、当該消炎素子３０、３０を位置決めするための消炎素子スペーサ３２と、を有して構成されている。なお、本実施形態では、フレームアレスタ３は、２個の消炎素子３０、３０を備えて構成されているが、本発明はこれに限定されるものではない。フレームアレスタは、１個以上の消炎素子３０を備えて構成されていればよい。
【００３２】
２個の消炎素子３０、３０は、略同一構成や略同一機能を有して構成されている。各消炎素子３０は、板厚方向に凹凸形状を有し、凹凸形状が板延在方向に並んで設けられた板金を渦巻き状に巻くことで形成されたものであり、配管２の軸方向に厚みを有する円盤状に設けられている。各消炎素子３０は、配管２の軸方向に可燃性ガスが通気するように、軸方向の外部と内部とが連通して設けられているとともに、配管２の中心軸Ｐと同軸に設けられている。
【００３３】
消炎素子フレーム３１は、配管２の軸方向に外部と内部とが連通するように当該軸方向の両端に開口を有する筒状に構成されている。
【００３４】
消炎素子フレーム３１は、上流側ボディ２０の下流側開口部２０ａの内径寸法φ１以下の第１内径寸法φ２を有する第１消炎空間３３と、第１内径寸法φ２より大きいとともに消炎素子３０の外径寸法と略等しい第２内径寸法φ３を有する第２消炎空間３４と、第２内径寸法φ３より大きいとともに減速機構４の減速機構フレーム４１の外径寸法と略等しい第３内径寸法φ５を有する第３消炎空間３５と、を有して構成されている。消炎素子フレーム３１には、流れ方向の上流側から、第１消炎空間３３、第２消炎空間３４、第３消炎空間３５の順で設けられている。
【００３５】
第２消炎空間３４は、２個の消炎素子３０、３０及び、消炎素子スペーサ３２を収容可能に構成されている。また、第２消炎空間３４の軸寸法は、２個の消炎素子３０、３０及び、消炎素子スペーサ３２が収容された状態で、第３消炎空間３５との間に隙間が形成されるような寸法に形成されている。また、第２消炎空間３４の周面には、その上流側端部から消炎素子２つ分の軸寸法だけ離間した位置から、下流側端部まで、消炎素子スペーサ３２が螺合可能なようにねじが切られている。
【００３６】
第３消炎空間３５は、ガスケット６及び、減速機構４の（後述する）減速機構フレーム４１の上流側開口部４１Ａを収容可能に構成されている。
【００３７】
消炎素子スペーサ３２は、配管２の軸方向に厚みを有する円盤状に設けられている。消炎素子スペーサ３２は、配管２の軸方向に可燃性ガスが通気するように、その軸方向の外部と内部とが連通して設けられている。また、消炎素子スペーサ３２は、消炎素子フレーム３１の第２消炎空間３４の周面において、ねじ切られた部分に螺合可能なように構成されている。そして、消炎素子スペーサ３２は、消炎素子フレーム３１の第２消炎空間３４に２個の消炎素子３０、３０が収容された状態で、第２消炎空間３４の周面において、ねじ切られた部分に螺合されている。消炎素子スペーサ３２により、２個の消炎素子３０、３０は、第２消炎空間３４における所定の位置に固定される。消炎素子スペーサ３２が第２消炎空間３４の周面に螺合した状態で、消炎素子スペーサ３２と、第３消炎空間３５との軸方向の間は、何れの部材も収容されない空間となっている。
【００３８】
なお、本実施形態では、第２消炎空間３４の軸寸法は、２個の消炎素子３０、３０及び、消炎素子スペーサ３２が収容された状態で、第３消炎空間３５との間に何れの部材も収容されない空間Ｓが形成されるような寸法に形成されているが、本発明はこれに限定されるものではない。第２消炎空間３４の軸寸法は、２個の消炎素子３０、３０及び、消炎素子スペーサ３２が収容された状態で、第３消炎空間３５との間に空間Ｓが形成されないような寸法に形成されていてもよい。即ち、第２消炎空間３４の軸寸法は、２個の消炎素子３０、３０及び、消炎素子スペーサ３２の軸寸法と略等しい寸法となるように形成されていてもよい。
【００３９】
このようなフレームアレスタ３は、消炎素子フレーム３１の下流側開口部３１Ｂから、第３消炎空間３５を通過して第２消炎空間３４に２個の消炎素子３０、３０を挿入し、消炎素子スペーサ３２を、第２消炎空間３４の周面において、ねじ切られた部分に螺合する。こうしてフレームアレスタ３を組み立てる。このような組立状態のフレームアレスタ３にあっては、消炎素子フレーム３１の上流側開口部３１Ａは、上流側ボディ２０の上流側フランジ２３の直交面２３Ａに、ガスケット６を挟んで当接されることで、上流側ボディ２０に支持され、消炎素子フレーム３１の下流側開口部３１Ｂは、第３消炎空間３５に、ガスケット６及び、減速機構４の減速機構フレーム４１の流れ方向の上流側開口部４１Ａが挿入されることで、減速機構４に支持される。フレームアレスタ３が、上流側ボディ２０と減速機構４との間で支持された状態で、消炎素子３０、消炎素子フレーム３１、及び消炎素子スペーサ３２は、配管２の中心軸Ｐと同軸に固定されている。
【００４０】
なお、本実施形態において、２個の消炎素子３０、３０及び消炎素子スペーサ３２と、消炎素子フレーム３１との固定は、消炎素子フレーム３１に対して、消炎素子スペーサ３２を直接螺合することにより成立させていたが、本発明はこれに限定されるものではない。２個の消炎素子３０、３０及び消炎素子スペーサ３２と、消炎素子フレーム３１との固定を、例えば、ボルト等の固定部材を用いて成立させてもよく、これとは別の公知の固定方法を用いて行ってもよい。さらに、フレームアレスタ３と減速機構４とをガスケットを介して密接させた状態で、上流側ボディ２０の上流側フランジ２３と下流側ボディ２１の下流側フランジ２７とで挟み込み、一対のボルト７１で締め付けることで、消炎素子３０、３０が固定される構成であってもよい。
【００４１】
減速機構４は、図１に示すように、複数（図示例では４個）のオリフィス部材５（部材）と、４個のオリフィス部材５を収容するための筒状の減速機構フレーム４１と、４個のオリフィス部材５を位置決めするオリフィススペーサ４２と、を有して構成されている。減速機構４は、本実施形態では、フレームアレスタ３の流れ方向の下流側に隣接する位置に設けられている。なお、本実施形態では、減速機構４は、４個のオリフィス部材５を備えて構成されているが、本発明はこれに限定されるものではない。減速機構は、１個以上のオリフィス部材（部材）を備えて構成されていればよい。
【００４２】
４個のオリフィス部材５は、図１に示すように、略同一構成や略同一機能を有して構成されている。４個のオリフィス部材５は、組立て前の状態では、互いに別体に構成されている。各オリフィス部材５は、軸方向に厚みを有する円盤状に設けられている。各オリフィス部材５は、軸方向に可燃性ガスが通気するように、各オリフィス部材５の軸方向の外部と内部とが連通して設けられているとともに、配管２の中心軸Ｐと同軸に設けられている。
【００４３】
各オリフィス部材５は、図２に示すように、減速機構フレーム４１における第１減速空間４３を構成する周面に接触する円筒面である外周面５Ａを有し、外径寸法φ６を有する円盤状に形成されている。また、各オリフィス部材５は、図１に示すように、可燃性ガスを通過させるための第１オリフィス空間５０Ａと、第１オリフィス空間５０Ａの流れ方向の下流側に設けられて、第１オリフィス空間５０Ａに連続する第２オリフィス空間５０Ｂと、を有している。また、本実施形態において、第１オリフィス空間５０Ａの軸寸法Ｌ１と、及び第２オリフィス空間５０Ｂの軸寸法Ｌ２は、略等しい寸法となるように形成されているとともに略３０ｍｍ程度となるように形成され、第１オリフィス空間５０Ａの内径寸法φ７が略１５０ｍｍ程度となるように形成され、第２オリフィス空間５０Ｂの内径寸法φ８が略５０ｍｍ程度となるように形成されている。即ち、第１オリフィス空間５０Ａの体積は、第２オリフィス空間５０Ｂの体積よりも大きくなるように形成されている。４個のオリフィス部材５は、組立て状態で、流れ方向の上方側から、第１オリフィス空間５０Ａと第２オリフィス空間５０Ｂとが、交互に繰り返されるように、並んで設けられている。
【００４４】
このようなオリフィス部材５は、図１に示すように、組立て状態で、減速機構４において、可燃性ガスを通過させる内面４０の一部（オリフィス内面４Ａ）を構成する。オリフィス内面４Ａは、第１オリフィス空間５０Ａと第２オリフィス空間５０Ｂとの境界に位置する境界面５Ｃ（非平行面）と、境界面５Ｃの外縁ｂから軸と平行に延在する上流側内周面５Ｄ（第１内面）と、境界面５Ｃの内縁ａから軸と平行に延在する下流側内周面５Ｅ（第２内面）と、下流側内周面５Ｅに連続されるとともに軸に直交する直交面５Ｂ（非平行面）と、を有し、これらの面が、流れ方向の上方側から、上流側内周面５Ｄ、境界面５Ｃ、下流側内周面５Ｅ、直交面５Ｂの順で連続されるとともに、繰り返し設けられることで構成されている。また、各オリフィス部材５において、第１オリフィス空間５０Ａは、上流側内周面５Ｄの内部に位置する空間であり、第２オリフィス空間５０Ｂは、下流側内周面５Ｅの内部に位置する空間である。
【００４５】
各オリフィス部材５の境界面５Ｃは、オリフィス部材５の中心軸Ｐに対して略直交して設けられている。即ち、各オリフィス部材５の境界面５Ｃは、オリフィス部材５の中心軸Ｐに非平行な面（平面）である。各オリフィス部材５の上流側内周面５Ｄ、及び下流側内周面５Ｅは、それぞれ、オリフィス部材５の中心軸Ｐを軸とする円筒の面を有して構成されている。各オリフィス部材５の上流側内周面５Ｄ、及び下流側内周面５Ｅは、それぞれ、オリフィス部材５の中心軸Ｐに平行な面（曲面）から構成されている。また、図１、図２に示すように、各オリフィス部材５の下流側内周面５Ｅの内径寸法φ８（図２に示す）と、下流側ボディ２１の内径寸法φ４（図１に示す）は、略等しい寸法となるように形成されている。なお、本実施形態において、「中心軸Ｐに平行な面（曲面）」とは、当該面の軸方向の何れの位置においても、中心軸Ｐからの距離が略等しい面のことであり、「中心軸Ｐに非平行な面（平面）」とは、中心軸Ｐに対して所定の角度を有する面のことである。
【００４６】
本実施形態では、第１オリフィス空間５０Ａの内径寸法φ７は、１５０ｍｍ程度となるように規定しているが、本発明はこれに限定されない。内径寸法φ７として、１００ｍｍ以下であっても構わない。内径寸法φ７として、略１００ｍｍ以下であってもよく、８０ｍｍ以下であってもよい。また、第１オリフィス空間５０Ａの内径寸法φ７は、６０ｍｍ以上であればよい。また、第１オリフィス空間５０Ａの内径寸法φ７は、１００ｍｍ以上であっても構わない。内径寸法φ７として、１００ｍｍ以上であってもよく、２００ｍｍ以上であってもよい。第１オリフィス空間５０Ａの内径寸法φ７は、略３００ｍｍ以下であればよい。
【００４７】
また、本実施形態では、各オリフィス部材５の軸寸法Ｌ１、Ｌ２は、３０ｍｍ程度となるように規定しているが、本発明はこれに限定されない。軸寸法Ｌ１、Ｌ２として、３０ｍｍ以下であっても構わない。軸寸法Ｌ１、Ｌ２として、２０ｍｍ以下であってもよく、１０ｍｍ以下であってもよく、５ｍｍ以下であってもよい。各オリフィス部材５の軸寸法Ｌ１、Ｌ２は、略２ｍｍ以上であればよい。
【００４８】
減速機構フレーム４１は、図１に示すように、上流側ボディ２０及び下流側ボディ２１の軸方向に外部と内部とが連通するように軸方向の両端に開口部４１Ａ、４１Ｂを有する筒状に構成されている。減速機構フレーム４１の開口部４１Ａ、４１Ｂのうち、流体の流れ方向の上流側に位置する一方を「上流側開口部４１Ａ」と記し、下流側に位置する他方を「下流側開口部４１Ｂ」と記す。
【００４９】
減速機構フレーム４１は、図１、図２に示すように、各オリフィス部材５の外径寸法φ６（図２に示す）と略等しい内径寸法を有する第１減速空間４３と、第１減速空間４３の内径寸法より小さい第５内径寸法φ９を有する第２減速空間４４と、を有して構成されている。第１減速空間４３は、第２減速空間４４の流れ方向の上流側に設けられている。第２減速空間４４を構成する内周面４４Ａは、各オリフィス部材５の中心軸Ｐと平行な曲面から構成されている。第２減速空間４４を構成する内周面４４Ａ、及び各オリフィス部材５の上流側内周面５Ｄは、減速機構フレーム４１及び各オリフィス部材５の中心軸Ｐから当該各内周面４４Ａ、５Ｄまでの距離Ｄ１が略等しい距離となるように形成されている。
【００５０】
第１減速空間４３は、４個のオリフィス部材５及び、オリフィススペーサ４２を収容可能に構成されている。また、第１減速空間４３の軸寸法は、４個のオリフィス部材５及び、オリフィススペーサ４２が収容された状態で、減速機構フレーム４１の上流側開口部４１Ａとの間に隙間が形成されるような寸法に形成されている。また、第１減速空間４３の周面において、その下流側開口部４１Ｂからオリフィス部材５、４個分の軸寸法だけ離間した位置から、上流側開口部４１Ａまで、オリフィススペーサ４２が螺合可能なようにねじが切られている。
【００５１】
オリフィススペーサ４２は、図２に示すように、配管２の軸方向に厚みを有する円盤状に設けられている。オリフィススペーサ４２は、配管２の軸方向に可燃性ガスが通気するように、その軸方向の外部と内部とが連通して設けられている。
【００５２】
オリフィススペーサ４２は、互いに対向する上流側直交面４２Ａ及び下流側直交面４２Ｃと、上流側直交面４２Ａ及び下流側直交面４２Ｃの各内縁ａに連続される内周面４２Ｂと、を有して構成されている。上流側直交面４２Ａ及び下流側直交面４２Ｃは、オリフィススペーサ４２の軸に直交して設けられ、内周面４２Ｂは、当該軸に平行に設けられている。オリフィススペーサ４２の内周面４２Ｂ、及び各オリフィス部材５の下流側内周面５Ｅは、オリフィススペーサ４２及び各オリフィス部材５の中心軸Ｐから当該内周面４２Ｂ、５Ｅまでの距離Ｄ２が略等しい距離となるように形成されている。
【００５３】
このようなオリフィススペーサ４２は、減速機構フレーム４１の第１減速空間４３の周面において、ねじ切られた部分に螺合可能なように構成されている。そして、オリフィススペーサ４２は、減速機構フレーム４１の第１減速空間４３に４個のオリフィス部材５が収容された状態で、第１減速空間４３の周面において、ねじ切られた部分に螺合されている。オリフィススペーサ４２により、４個のオリフィス部材５は、第１減速空間４３における所定の位置に固定される。
【００５４】
また、オリフィススペーサ４２は、図１に示すように、組立て状態で、減速機構４において、可燃性ガスを通過させる内面４０の一部（スペーサ内面４Ｂ）を構成する。スペーサ内面４Ｂは、組立て状態で最も上流側に位置するオリフィス部材５２（５）の上流側内周面５Ｄに連続される下流側直交面４２Ｃと、下流側直交面４２Ｃの内縁ａから軸と平行に延在する内周面４２Ｂと、内周面４２Ｂの上縁に連続されるとともに、軸に直交する上流側直交面４２Ａと、を有して構成されている。
【００５５】
このような減速機構４は、減速機構フレーム４１の上流側開口部４１Ａから、第１減速空間４３に４個のオリフィス部材５を挿入し、この状態で、オリフィススペーサ４２を第１減速空間４３の周面に螺合させる。こうして、４個のオリフィス部材５及びオリフィススペーサ４２を、減速機構フレーム４１に固定する。
【００５６】
なお、本実施形態において、４個のオリフィス部材５及びオリフィススペーサ４２と、減速機構フレーム４１との固定は、減速機構フレーム４１に対して、オリフィススペーサ４２を直接螺合することにより成立させていたが、本発明はこれに限定されるものではない。４個のオリフィス部材５及びオリフィススペーサ４２と、減速機構フレーム４１との固定を、例えば、ボルト等の固定部材を用いて成立させてもよく、これとは別の公知の固定方法を用いて行ってもよい。さらに、フレームアレスタ３と減速機構４とをガスケットを介して密接させた状態で、上流側ボディ２０の上流側フランジ２３と下流側ボディ２１の下流側フランジ２７とで挟み込み、一対のボルト７１で締め付けることで、オリフィス部材５が固定される構成であってもよい。
【００５７】
オリフィススペーサ４２が第１減速空間４３の周面に螺合した状態で、オリフィススペーサ４２の螺合位置と、減速機構フレーム４１の上流側開口部４１Ａとの間は、何れの部材も収容されない空間となっている。即ち、減速機構４の組立て状態で、オリフィススペーサ４２の螺合位置と、減速機構フレーム４１の上流側開口部４１Ａとの間（空間）は、減速機構フレーム４１の第１減速空間４３の周面のうち上流側の一部４３Ａから構成されている。この上流側の一部４３Ａは、オリフィススペーサ４２の上流側直交面４２Ａに連続されて、減速機構４の内面４０の一部を構成する。
【００５８】
なお、本実施形態では、減速機構フレーム４１の第１減速空間４３の周面のうち上流側の一部４３Ａは、何れの部材も収容されない空間が設けられているが、本発明はこれに限定されるものではない。減速機構フレーム４１の第１減速空間４３の周面のうち上流側の一部４３Ａにある空間はなくてもよい。即ち、第１減速空間４３の軸寸法は、４個のオリフィス部材５及びオリフィススペーサ４２の軸寸法と略等しい寸法となるように形成されていてもよい。
【００５９】
また、オリフィススペーサ４２が第１減速空間４３の周面に螺合した状態で、最も下流側に位置するオリフィス部材５１（５）と、減速機構フレーム４１の下流側開口部４１Ｂとの間は、何れの部材も収容されない空間（第２減速空間４４）となっている。即ち、第２減速空間４４は、当該空間４４を構成する内周面４４Ａから構成されている。当該内周面４４Ａは、最も下流側に位置するオリフィス部材５１の直交面５Ｂに連続されて、減速機構の内面４０の一部を構成する。
【００６０】
こうして、減速機構フレーム４１の周面の一部４３Ａ、スペーサ内面４Ｂ、オリフィス内面４Ａ、及び減速機構フレーム４１の内周面４４Ａ、を有する内面４０を有する減速機構４を組み立てる。
【００６１】
減速機構４の組立て状態では、各オリフィス部材５の直交面５Ｂ、境界面５Ｃ、及びオリフィススペーサ４２の下流側直交面４２Ｃが、「非平行面」として機能する。以下では、各オリフィス部材５の直交面５Ｂ、境界面５Ｃ、及びオリフィススペーサ４２の下流側直交面４２Ｃを総称して「非平行面」と記し、各オリフィス部材５の上流側内周面５Ｄ、及び減速機構フレーム４１の内周面４４Ａを総称して「第１内面」と記し、各オリフィス部材５の下流側内周面５Ｅ、及びオリフィススペーサ４２の内周面４２Ｂを総称して「第２内面」と記す場合がある。
【００６２】
次に、減速機構付きフレームアレスタ１を組み立てる手順について説明する。
【００６３】
フレームアレスタ３及び減速機構４は、それぞれ、予め組み立てられている。フレームアレスタ３は、消炎素子フレーム３１の上流側開口部３１Ａを、上流側ボディ２０の上流側フランジ２３の直交面２３Ａに、ガスケット６を挟んで当接させ、消炎素子フレーム３１の下流側開口部３１Ｂを、第３消炎空間３５に挿入する。また、減速機構４は、減速機構フレーム４１の下流側開口部４１Ｂを、下流側ボディ２１の下流側フランジ２７の直交面２７Ａに、ガスケット６を挟んで当接させる。この状態で、上流側ボディ２０及び下流側ボディ２１の各ボルト孔２４、２５にボルト７１を挿入し、ボルト７１の両端に各ナット７２を螺合する。こうして、上流側ボディ２０及び下流側ボディ２１から構成された配管２、フレームアレスタ３、及び減速機構４が、配管２の中心軸Ｐと同軸に設けられた減速機構付きフレームアレスタ１を組み立てる。
【００６４】
このような減速機構付きフレームアレスタ１によれば、その内面４Ａ、４Ｂ、４３Ａ、４４Ａが、軸に非平行な非平行面５Ｂ、５Ｃ、４２Ｃを複数有し、複数の非平行面５Ｂ、５Ｃ、４２Ｃが、軸方向に並んで設けられている。ここで、配管２内に火炎が発生した場合、火炎は流体の流れ方向に順流又は、逆流するが、非平行面５Ｂ、５Ｃ、４２Ｃが設けられていることで、非平行面５Ｂ、５Ｃ、４２Ｃの面延在方向（配管２の径方向）に沿って、中心軸Ｐから離れる方向に回り込む。非平行面５Ｂ、５Ｃ、４２Ｃが、軸方向に並んで設けられているから、火炎が、中心軸Ｐから離れる方向に回りこむ現象が繰り返される。このようにして、配管２を伝播する火炎は、回り込む現象が繰り返されることにより、減速される。このように配管２内を伝播する火炎を減速させる減速機構４を、フレームアレスタ３において可燃性の流体の流れ方向側（軸方向の一方側）に設けることで、フレームアレスタ３に到達する火炎は減速される。このため、フレームアレスタ３を配管２の軸方向に小型化した場合においても、圧力損失の低減と流量確保を図りつつ、所望の消炎性能を確保することができる。さらに、このような減速機構４を、フレームアレスタ３の可燃性の流体の流れ方向の少なくとも一方側に設けることにより、フレームアレスタ３を配管２の径方向に小型化することができ、この場合においても、圧力損失の低減と流量確保を図りつつ、所望の消炎性能を確保することができる。従って、減速機構４を、フレームアレスタ３において可燃性の流体の流れ方向の少なくとも一方側に設けることで、所望の消炎性能の確保と、圧力損失の低減（流量の確保）との両立を図ることができる。
【００６５】
また、本実施形態の減速機構４では、複数の非平行面５Ｂ、５Ｃ、４２Ｃは、それぞれ、当該非平行面５Ｂ、５Ｃ、４２Ｃと中心軸Ｐ（軸）との成す角が略等しくなるように形成されている。このような構成によれば、配管２を伝播する火炎は、回り込む現象が繰り返されることにより、減速させることができる。
【００６６】
また、本実施形態の減速機構４では、非平行面５Ｂ、５Ｃ、４２Ｃと中心軸Ｐ（軸）との成す角が、略９０度となるように形成されている。このような構成によれば、非平行面５Ｂ、５Ｃ、４２Ｃを構成面とする空間の体積を十分な大きさにすることができるから、配管２内を伝播する火炎を、十分に減速させることができる。
【００６７】
また、本実施形態の減速機構４では、非平行面５Ｂ、５Ｃ、４２Ｃが、中心軸Ｐから離れた外縁ｂと、中心軸Ｐに近い内縁ａと、を有し、外縁ｂから中心軸Ｐ（軸）に平行に延在する第１内面５Ｄ、４４Ａと、内縁ａから中心軸Ｐ（軸）に平行に延在する第２内面５Ｅ、４２Ｂと、が交互に設けられている。このような構成によれば、非平行面５Ｂ、５Ｃ、４２Ｃ及び第１内面５Ｄ、４４Ａを構成面とする体積が大きい空間と、第２内面５Ｅ、４２Ｂを構成面とする体積が小さい空間とが、軸方向に交互に連続して形成される。配管２内を伝播する火炎は、大小の空間を繰り返し通過する。これにより、配管２内を伝播する火炎を、十分に減速することができる。または、第１内面５Ｄ、４４Ａと第２内面５Ｅ、４２Ｂが、交互に設けられていなくとも、非平行面５Ｂ、５Ｃ、４２Ｃ及び第１内面５Ｄ、４４Ａを構成面とする体積が大きい空間と、第２内面５Ｅ、４２Ｂを構成面とする体積が小さい空間とが、軸方向に交互に連続して形成されていれば、本実施形態と同様の効果が奏される。即ち、配管２内を伝播する火炎は、大小の空間を繰り返し通過する。これにより、配管２内を伝播する火炎を、十分に減速することができる。
【００６８】
また、本実施形態の減速機構４では、第２内面５Ｅ、４２Ｂが、中心軸Ｐを軸とする円筒の面を構成することが好ましい。このような構成によれば、例えば、目詰まりする懸念なく、メンテナンス性の向上を図ることができる。
【００６９】
また、本実施形態の減速機構４は、配管２の軸方向に連通する複数のオリフィス部材５（部材）を有して構成され、複数のオリフィス部材５（部材）が、それぞれ、非平行面５Ｂ、５Ｃ、４２Ｃを少なくとも２つ有していることが好ましい。このような構成によれば、求められる性能に応じて、部材の個数を変更することができる。従って、汎用性が高いものとすることができる。
【００７０】
なお、本発明は、前記実施形態に限定されるものではなく、本発明の目的が達成できる他の構成等を含み、以下に示すような変形例も本発明に含まれる。
【００７１】
上述した第１実施形態では、減速機構４の組立て状態で、４個のオリフィス部材５は、流れ方向の上方側から、第１オリフィス空間５０Ａと第２オリフィス空間５０Ｂとが、交互に繰り返されるように並んで設けられているが、本発明はこれに限定されるものではない。４個のオリフィス部材５は、流れ方向の上方側から、第２オリフィス空間５０Ｂと第１オリフィス空間５０Ａとが、交互に繰り返されるように並んで設けられるように、減速機構４は、軸方向の一端と他端とを反転して用いてもよい。
【００７２】
また、上述した第１実施形態では、減速機構４は、フレームアレスタ３の流れ方向の下流側に隣接する位置に設けられているが、本発明はこれに限定されるものではない。減速機構４は、図３に示すように、フレームアレスタ３の両側に当該フレームアレスタ３に隣接して設けられていてもよい。即ち、図３に示すように、減速機構付きフレームアレスタ１０は、可燃性ガス（可燃性の流体）が流れる配管２と、この配管２に連通するフレームアレスタ３と、フレームアレスタ３の両側に、当該フレームアレスタ３に連通して設けられた一対の減速機構４、４と、配管２、フレームアレスタ３、及び減速機構４の間に介在するリング状のガスケット６と、を有して構成されていてもよい。また、減速機構４は、フレームアレスタ３の流れ方向の下流側に設けられていてもよい。また、減速機構４と、フレームアレスタ３とは、隣接する位置になくともよい。即ち、減速機構４と、フレームアレスタ３との間には、他の部材が設けられていてもよい。図３は、図１に示された減速機構付きフレームアレスタ１の変形例を示す断面図である。なお、図３において、第１実施形態と略同一機能や略同一構成を有する部材には、同一符号を付して、説明を省略する。このような構成によれば、所望の消炎性能を十分に確保しつつ、圧力損失の低減を図ることができる。
【００７３】
また、上述した第１実施形態では、第２オリフィス空間５０Ｂを構成する下流側内周面５Ｅは、円筒面から構成されている。即ち、第２オリフィス空間５０Ｂは、円筒面で囲まれた連続する一つの空間から構成されているが、本発明はこれに限定されるものではない。第２オリフィス空間５０Ｂは、図４（Ａ）に示すように、オリフィス部材１５の軸方向に貫通する複数の貫通孔１５０Ｂを有して構成されていてもよい。また、各貫通孔１５０Ｂは、図４（Ｂ）に示すように、オリフィス部材１５の軸に直交する断面が円形となるように形成されていてもよい。図４は、図２に示された減速機構４の変形例を示す図であり、（Ａ）は減速機構４の断面図であり、（Ｂ）は平面図である。なお、図４（Ａ）（Ｂ）において、第１実施形態と略同一機能や略同一構成を有する部材には、同一符号を付して、説明を省略する。
【００７４】
または、第２オリフィス空間５０Ｂに形成された各貫通孔２５０Ｂは、図５に示すように、オリフィス部材１５´の軸に直交する断面が正六角形状（正多角形状）となるように形成されていてもよい。図５は、図２に示された減速機構４の他の変形例を示す平面図である。なお、図５において、上述した実施形態と略同一機能や略同一構成を有する部材には、同一符号を付して、説明を省略する。
【００７５】
このような図４（Ａ）（Ｂ）、図５に示す変形例によれば、複数の貫通孔１５０Ｂ、２５０Ｂが形成されていることで、軸に直交する面において、複数の貫通孔１５０Ｂ、２５０Ｂが形成された面と、第１内周面５Ｄが形成する面との面積の差を大きくできるから、配管２内を伝播する火炎は、当該面に位置する開口（下流側内周面５Ｅや各貫通孔１５０Ｂ、２５０Ｂ）を入口とする大小の空間を繰り返し通過する。これにより、配管２内を伝播する火炎を効率よく減速させることができる。
【００７６】
（第２実施形態）
続いて、第２実施形態に係る減速機構を、図６を参照して説明する。図６は、本発明の第２実施形態に係る減速機構１０４を示す断面図である。なお、図６において、第１実施形態と略同一機能や略同一構成を有する部材には、同一符号を付して、その説明を省略する。第１実施形態に係る減速機構４と第２実施形態に係る減速機構１０４は、各オリフィス部材５、１０５の形状が異なる。従って、第２実施形態では、各オリフィス部材１０５について説明する。
【００７７】
第２実施形態において、組立状態のオリフィス部材１０５の内面は、図６に示すように、流れ方向の上流側から、上流側内周面１０５Ｅ（非平行面）、下流側内周面１０５Ｆ、直交面１０５Ｃ（非平行面）の順で連続されるとともに、繰り返し設けられることで構成されている。各オリフィス部材１０５の上流側内周面１０５Ｅと、下流側内周面１０５Ｆとの境界ｍは、各オリフィス部材１０５の軸方向の中間に位置している。上流側内周面１０５Ｅは、流体の流れ方向の下流に向かうにしたがって、径寸法が徐々に小さくなるような傾斜を有して構成されている。下流側内周面１０５Ｆは、配管２の中心軸Ｐと平行に延在している。
【００７８】
または、組立状態のオリフィス部材１１５の内面は、図７に示すように、流れ方向の上流側から、傾斜面１１５Ｄ（非平行面）と、直交面１１５Ｃ（非平行面）と、の順で連続されるとともに、繰り返し設けられることで構成されていてもよい。この場合には、減速機構１１４は、傾斜面１１５Ｄが、流れ方向の下流に向かうにしたがって、径寸法が徐々に小さくなるような傾斜を有して構成され、直交面１１５Ｃは、軸に直交して設けられていてもよい。図７は、本発明の第２実施形態に係る減速機構の変形例を示す断面図である。なお、図７において、上述した実施形態と略同一機能や略同一構成を有する部材には、同一符号を付して、説明を省略する。
【００７９】
または、組立状態のオリフィス部材１２５の内面は、図８に示すように、流れ方向の上流側から、上流側傾斜面１２５Ｅ（非平行面）と、下流側傾斜面１２５Ｆ（非平行面）と、の順で連続されるとともに、繰り返し設けられることで構成されていてもよい。この場合には、上流側傾斜面１２５Ｅは、流体の流れ方向の下流に向かうにしたがって、径寸法が徐々に小さくなるような傾斜を有して構成され、下流側傾斜面１２５Ｆは、流体の流れ方向の下流に向かうにしたがって、径寸法が徐々に大きくなるような傾斜を有して構成されていてもよい。即ち、減速機構１２４は、オリフィス部材１２５において、上流側傾斜面１２５Ｅと下流側傾斜面１２５Ｆとが交差する境界ｍが山部となり、隣接する各オリフィス部材１２５の上流側傾斜面１２５Ｅと下流側傾斜面１２５Ｆとが交差する境界ｎが谷部となり、これら山部と谷部とが軸方向に交互に並ぶように設けられていてもよい。また、上流側傾斜面１２５Ｅと下流側傾斜面１２５Ｆとの境界ｍが各オリフィス部材１２５の軸方向の中間に位置していてもよい。図８は、本発明の第２実施形態に係る減速機構の他の変形例を示す断面図である。なお、図８において、上述した実施形態と略同一機能や略同一構成を有する部材には、同一符号を付して、説明を省略する。
【００８０】
また、図８に示すように、組立状態のオリフィス部材１２５の内面にあっては、上流側傾斜面１２５Ｅは、流体の流れ方向の下流に向かうにしたがって、径寸法が徐々に小さくなるような傾斜を有して構成され、下流側傾斜面１２５Ｆは、流体の流れ方向の下流に向かうにしたがって、径寸法が徐々に大きくなるような傾斜を有して構成されている。即ち、上流側傾斜面１２５Ｅ及び下流側傾斜面１２５Ｆは、それぞれ、平面から構成されているが、本発明はこれに限定されるものではない。組立状態のオリフィス部材１３５の内面にあっては、図９に示すように、減速機構１３４は、上流側傾斜面１３５Ｅ及び下流側傾斜面１３５Ｆが、それぞれが曲面から構成されていてもよい。その場合には、上流側傾斜面１３５Ｅと下流側傾斜面１３５Ｆとが交差する境界ｍが山部となり、隣接する各オリフィス部材１３５の下流側傾斜面１３５Ｆと上流側傾斜面１３５Ｅとが交差する境界ｎが谷部となり、これらの山部と谷部とが軸方向に交互に並ぶような波型形状を有していてもよい。図９は、本発明の第２実施形態に係る減速機構のさらに他の変形例を示す断面図である。なお、図９において、上述した実施形態と略同一機能や略同一構成を有する部材には、同一符号を付して、説明を省略する。
【００８１】
（第３実施形態）
続いて、第３実施形態に係る減速機構を、図１０（Ａ）（Ｂ）を参照して説明する。図１０（Ａ）は、減速機構１４４を示す断面図であり、（Ｂ）は、（Ａ）の平面図である。なお、図１０（Ａ）（Ｂ）において、第１実施形態と略同一機能や略同一構成を有する部材には、同一符号を付して、その説明を省略する。第３実施形態に係る減速機構１４４は、内部に複数の空間１４５Ａ〜１４５Ｄを有するとともに、連続する１つの部材から構成された１個のオリフィス部材１４５を有して構成されている。
【００８２】
オリフィス部材１４５は、図１０（Ａ）に示すように、配管２の軸方向に可燃性ガスが通気するように、その軸方向の外部と内部とが連通して設けられているとともに、配管２の中心軸Ｐと同軸に設けられている。このオリフィス部材１４５は、第１オリフィス空間１４５Ａと、第１オリフィス空間１４５Ａの流体の流れ方向の下流側に設けられて、第１オリフィス空間１４５Ａに連続する第２オリフィス空間１４５Ｂと、第２オリフィス空間１４５Ｂの流れ方向の下流側に設けられて、第２オリフィス空間１４５Ｂに連続する第３オリフィス空間１４５Ｃと、第３オリフィス空間１４５Ｃの流れ方向の下流側に設けられて、第３オリフィス空間１４５Ｃに連続する第４オリフィス空間１４５Ｄと、を有し、これらの空間１４５Ａ、１４５Ｂ、１４５Ｃ、１４５Ｄ、が繰り返し形成されている。また、これらのオリフィス空間１４５Ａ〜１４５Ｄは、略同じ大きさの体積となるように形成された空間である。
【００８３】
これらの各オリフィス空間１４５Ａ〜１４５Ｄを形成する４つの空間形成部は、流れ方向の上方側から見て、９０度ずつ時計回りに位置をずらして設けられている。即ち、オリフィス空間１４５Ａ〜１４５Ｄそれぞれを形成する４つの空間形成部は、相互に偏心して設けられている。
【００８４】
第１オリフィス空間１４５Ａは、中心軸Ｐに平行な内面１４Ａ１と、内面１４Ａ１の軸方向の両端に連続するとともに、中心軸Ｐに直交する直交面１４Ａ２、１４Ａ３（非平行面）と、を有して構成された空間形成部の内部空間である。直交面１４Ａ２が、流れ方向の上流側に設けられ、直交面１４Ａ３が、直交面１４Ａ２より、流れ方向の下流側に設けられている。第２オリフィス空間１４５Ｂは、中心軸Ｐに平行な内面１４Ｂ１と、内面１４Ｂ１の軸方向の両端に連続するとともに、中心軸Ｐに直交する直交面１４Ｂ２、１４Ｂ３（非平行面）と、を有して構成された空間形成部の内部空間である。直交面１４Ｂ２が、流れ方向の上流側に設けられ、直交面１４Ｂ３が、直交面１４Ｂ２より、流れ方向の下流側に設けられている。第３オリフィス空間１４５Ｃは、中心軸Ｐに平行な内面１４Ｃ１と、内面１４Ｃ１の軸方向の両端に連続するとともに、中心軸Ｐに直交する直交面１４Ｃ２、１４Ｃ３（非平行面）と、を有して構成された空間形成部の内部空間である。直交面１４Ｃ２が、流れ方向の上流側に設けられ、直交面１４Ｃ３が、直交面１４Ｃ２より、流れ方向の下流側に設けられている。第４オリフィス空間１４５Ｄは、中心軸Ｐに平行な内面１４Ｄ１と、内面１４Ｄ１の軸方向の両端に連続するとともに、中心軸Ｐに直交する直交面１４Ｄ２、１４Ｄ３（非平行面）と、を有して構成された空間形成部の内部空間である。直交面１４Ｄ２が、流れ方向の上流側に設けられ、直交面１４Ｄ３が、直交面１４Ｄ２より、流れ方向の下流側に設けられている。
【００８５】
このようなオリフィス部材１４５を有する減速機構１４４によれば、火炎を十分に減速させることができる。即ち、上述した第１実施形態の減速機構４では、体積が大きいオリフィス空間５０Ａと、体積が小さいオリフィス空間５０Ｂとが、軸方向に交互に連続して形成され、配管２内を伝播する火炎は、大小の空間５０Ａ、５０Ｂを繰り返し通過することで、十分に減速されていたが、本発明はこれに限定されるものではない。略同じ大きさの体積となるように形成されたオリフィス空間１４５Ａ〜１４５Ｄを繰り返し通過した場合においても、第１実施形態の減速機構４と略同様の効果が奏される。
【００８６】
また、上述した第３実施形態では、各オリフィス空間１４５Ａ〜１４５Ｄを形成する４つの空間形成部は、流れ方向の上方側から見て、９０度ずつ時計回りに位置をずらして設けられているが、本発明はこれに限定されるものではない。例えば、減速機構２４４のオリフィス部材２４５は、各オリフィス空間２４５Ａ〜２４５Ｄが、図１１（Ａ）（Ｂ）に示すように、流れ方向の上方側から軸方向に、オリフィス空間２４５Ａ、オリフィス空間２４５Ｃ、オリフィス空間２４５Ｂ、オリフィス空間２４５Ｄ、の順に形成されていてもよく、中心軸Ｐを挟んで対向する位置にあるオリフィス空間２４５Ａ及びオリフィス空間２４５Ｃと、中心軸Ｐを挟んで対向する位置にあるオリフィス空間２４５Ｂ及びオリフィス空間２４５Ｄと、が中心軸Ｐを中心として９０度変位した位置にあってもよい。図１１は、図１０に示された減速機構の変形例を示す図であり、（Ａ）は、減速機構を示す断面図であり、（Ｂ）は、（Ａ）の平面図である。これによれば、第１実施形態の減速機構４と略同様の効果が奏される。
【００８７】
また、例えば、減速機構３４４のオリフィス部材３４５は、各オリフィス空間３４５Ａ、３４５Ｃが、図１２（Ａ）（Ｂ）に示すように、流れ方向の上方側から軸方向に、オリフィス空間３４５Ａ、オリフィス空間３４５Ｃ、の順に形成されていてもよく、オリフィス空間３４５Ａ、３４５Ｃが、中心軸Ｐを挟んで対向する位置にあるように、並んで設けられていてもよい。図１２は、図１０に示された減速機構の変形例を示す図であり、（Ａ）は、減速機構を示す断面図であり、（Ｂ）は、（Ａ）の平面図である。これによれば、第１実施形態の減速機構４と略同様の効果が奏される。
【００８８】
なお、本実施形態では、減速機構１４４、２４４、３４４は、４つの空間形成部を有して構成されていたが、本発明はこれに限定されるものではない。減速機構は、２以上（複数）の空間形成部を備えて構成されていればよい。
【００８９】
また、複数の空間形成部は、流れ方向の上方側から軸方向に、中心軸Ｐを含むように互いに偏心して設けられていればよく、これらの空間形成部は、規則性なく（ランダムに）軸方向に並んで設けられていてもよい。これによれば、第１実施形態の減速機構４と略同様の効果が奏される。
【００９０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００９１】
１、１０              減速機構付きフレームアレスタ
２                    配管
３                    フレームアレスタ
４、１０４、１１４、１２４、１３４、１４４、２４４、３４４  減速機構
５、１５、１５´、１０５、１１５、１２５、１３５、１４５、２４５、３４５                                          オリフィス部材（部材）
５Ｂ                  直交面（非平行面）
５Ｃ                  境界面（非平行面）
５Ｄ                  上流側内周面（第１内面）
５Ｅ                  下流側内周面（第２内面）
４０                  減速機構の内面
４２Ｃ                オリフィススペーサの下流側直交面（非平行面）
４２Ｂ                オリフィススペーサの内周面（第２内面）
４４Ａ                減速機構フレームの第２減速空間を構成する内周面（第１内面）
１５０Ｂ、２５０Ｂ    複数の貫通孔
Ｐ                    中心軸
ａ                    内縁
ｂ                    外縁
【図１】
2018078814.tif 000003
【図２】
2018078814.tif 000004
【図３】
2018078814.tif 000005
【図４】
2018078814.tif 000006
【図５】
2018078814.tif 000007
【図６】
2018078814.tif 000008
【図７】
2018078814.tif 000009
【図８】
2018078814.tif 000010
【図９】
2018078814.tif 000011
【図１０】
2018078814.tif 000012
【図１１】
2018078814.tif 000013
【図１２】
2018078814.tif 000014
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
可燃性の流体が流れる配管に設けられて当該配管内を伝播する火炎を消炎するためのフレームアレスタの前記配管の軸方向の少なくとも一方側に設けられて、この配管内を伝播する火炎を減速させるための減速機構であって、
前記配管の軸方向に連通するように筒状に構成され、
その内面が、軸に非平行な非平行面を複数有し、
複数の前記非平行面が、前記軸方向に並んで設けられ、
相互に偏心して設けられた複数の空間形成部を有し、
隣接する前記空間形成部が連通するとともにその境界には、前記非平行面が設けられていることを特徴とする減速機構。
【請求項２】
複数の前記非平行面は、それぞれ、当該非平行面と前記軸との成す角が略等しいことを特徴とする請求項１に記載の減速機構。
【請求項３】
前記非平行面と前記軸との成す角が、略９０度であることを特徴とする請求項２に記載の減速機構。
【請求項４】
（削除）
【請求項５】
（削除）
【請求項６】
（削除）
【請求項７】
（削除）
【請求項８】
（削除）
【請求項９】
請求項１〜請求項３のうち何れか一項に記載の減速機構と、
前記配管内を伝播する火炎を消炎するための前記フレームアレスタと、を備えたことを特徴とする減速機構付きフレームアレスタ。
【請求項１０】
前記減速機構が、前記フレームアレスタの前記配管の軸方向の両側に設けられていることを特徴とする請求項９に記載の減速機構付きフレームアレスタ。
【国際調査報告】
2018078814.tif 000015
2018078814.tif 000016
2018078814.tif 000017